(57)【要約】【課題】  特に、金網フェンス、ポールフェンス、ポール、もしくは重石になり得るブロックなどに取り付けて使用する表示板であって、誰でも簡単に取り付け、取り外し可能で、しかも取り付け部が表示板表面に露出することのない表示板を提供する。【解決手段】  この課題を解決するために、柔軟性を有したプレートに、コの字、Ｕの字、Ｖの字などのような、一辺を残した形状のカットラインを複数形成し、さらにはそのカットライン内側には貫通した穴を設けたうえで、この柔軟性を有したプレートを取り付け部とし、一方、プレート表面には、同じく柔軟性を有したプレート、もしくはシート、またはその両方を使用して表示部を形成する構造とすることにより、取り付け部が表示板表面に露出することのない表示板を完成させた。【選択図】図６
2010152289.tif 000002
【特許請求の範囲】
【請求項１】
プレートタイプの表示板であって、そのプレートは柔軟性を有したプレートで、かつコの字、Ｕの字、Ｖの字などのような、一辺を残した形状のカットラインが複数形成され、カットラインの始点、終点には貫通した穴を有し、さらにはそのカットライン内側にも貫通した穴があり、一方、プレート表面には、同じく柔軟性を有したプレート、もしくはシート、またはその両方を使用して表示部が形成されていることを特徴とする表示板。
【請求項２】
プレートタイプの表示板であって、そのプレートは柔軟性を有したプレートで、かつコの字、Ｕの字、Ｖの字などのような、一辺を残した形状のカットラインが直線的に複数形成され、カットラインの始点、終点には貫通した穴を有し、さらにはそのカットライン内側にも貫通した穴があり、一方、プレート表面には、同じく柔軟性を有したプレート、もしくはシート、またはその両方を使用して表示部が形成されていることを特徴とする、ポール用の表示板。
【発明の詳細な説明】
【技術分野】
【０００１】  本発明は、特に、金網フェンス、ポールフェンス、ポール、もしくは重石になり得るブロックなどに取り付けて使用する表示板であって、誰でも簡単に取り付け、取り外し可能で、しかも取り付け部が表示板表面に露出することのない表示板に関するものである。
【背景技術】
【０００２】  従来、金網フェンスなどに取り付けられている表示板では、その殆どが表示板に直接穴を開け、針金、ヒモ、結束帯などで取り付けられており、またポールフェンス、ポールなどに取り付けられている表示板でも、一部標識などに見られるような専用品は別として、やはり一般的な表示板となると、同じく表示板に直接穴を開け、針金、ヒモ、結束帯などで取り付けられており、一方、重石となり得るブロックなどに取り付けられている表示板は、両面テープなどにより完全固定されている。
【発明の開示】
【発明が解決しようとする課題】
【０００３】  ところがこれら表示板は、金網フェンス、ポールフェンス、ポールなどに取り付けて使用する表示板ではそれらに直接穴を開けるため、その取り付け部が見苦しく、特にポールフェンス、ポールなどに取り付ける表示板では、針金、ヒモ、結束帯などの取り付け材料がはちまき状に表面に露出するため、デザイン的にも具合が悪く、一方、重石となり得るブロックなどに取り付けられている表示板では、両面テープなどによる完全固定のため、取り外しに苦労していた。【０００４】  そこで本発明はこれらの問題を解決し、特に、金網フェンス、ポールフェンス、ポール、もしくは重石になり得るブロックなどに取り付けて使用する表示板であって、取り付け部が表示板表面に露出することのない表示板で、しかも誰でも簡単に取り付け、取り外し可能な表示板を提供するものである。
【課題を解決するための手段】
【０００５】  請求項１の発明は、プレートタイプの表示板であって、そのプレートは柔軟性を有したプレートで、かつコの字、Ｕの字、Ｖの字などのような、一辺を残した形状のカットラインが複数形成され、カットラインの始点、終点には貫通した穴を有し、さらにはそのカットライン内側にも貫通した穴があり、一方、プレート表面には、同じく柔軟性を有したプレート、もしくはシート、またはその両方を使用して表示部が形成されていることを特徴とする表示板である。【０００６】  同じく請求項２の発明は、プレートタイプの表示板であって、そのプレートは柔軟性を有したプレートで、かつコの字、Ｕの字、Ｖの字などのような、一辺を残した形状のカットラインが直線的に複数形成され、カットラインの始点、終点には貫通した穴を有し、さらにはそのカットライン内側にも貫通した穴があり、一方、プレート表面には、同じく柔軟性を有したプレート、もしくはシート、またはその両方を使用して表示部が形成されていることを特徴とする、ポール用の表示板である。【０００７】  一般的に、金網フェンス、ポールフェンス、ポール、もしくは重石になり得るブロックなどに取り付けて使用する表示板は、通常、一枚のプレートからできており、そしてその表面に、印刷、もしくはカッティングシート、インクジェット出力などの方法でデザイン装飾されるという極めてシンプルな構造であるがゆえに、現状ではどうしても取り付け部の確保はむずかしい。【０００８】  しかしながら本発明者は、このシンプルな構造はそのままに、どうにかして取り付け部が確保できる方法がないものかと鋭意追及した結果、プレートに柔軟性を有したプレートを使用して、そのプレートにコの字、Ｕの字、Ｖの字などのような、一辺を残した形状のカットラインを複数形成し、そしてそのカットラインが必要以上に裂けないように、カットラインの始点、終点には貫通した穴を設けたうえで、さらにはそのカットライン内側にも貫通した穴を設けておくと、形成したカットラインに沿って、プレート一部を簡単に取り付け側に曲げることが可能となり、しかもそのカットライン内側に設けた穴に、針金、ヒモ、もしくは結束帯などを通すことで、それが取り付け部として機能し、一方、プレート表面に、同じく柔軟性を有したプレート、もしくはシート、またはその両方を使用して表示部を形成することにより、表示部側からの、プレートに生じる開口部は気にならなくなることを見出して本発明を完成させた。【０００９】  詳しくは、本発明では表示部を形成するプレート、もしくはシートと、その背面に取り付け部の役目を持つプレートが存在している構造となり、この構造により、取り付け部が表示板表面に露出することのない表示板となり、しかも取り付け材料には従来からの針金、ヒモ、もしくは結束帯などがそのまま使用できるため、誰もが簡単に取り付け、取り外し可能な表示板となる。【００１０】  さらに詳しくは、本発明の背面となる柔軟性を有したプレートとは、例えば薄手であれば金属類などでも使用可能ではあるが、最も適しているのはプラスチック類であり、中でも引っ張り強度、曲げ強度、ともに確保できるＰＰ板、塩ビ板が好適であり、さらには表示部を形成するプレート、もしくはシートとは、同じく柔軟性を有するＰＰ板、塩ビ板、ポリエステルシート、塩ビシートなどが考えられるが、そもそも前述したように、デザイン装飾にはカッティングシート、インクジェット出力などの方法が利用できるため、これらを利用すると、シート類に関しては特別に考慮する必要もなくなり、本発明にとって最も都合が良い形となる。【００１１】  また、このカッティングシート、およびインクジェット出力は、現在、反射機能を有するもの、蓄光機能を有するものなどが存在しているため、これらを利用することにより、夜間でも視認性に優れた表示板を簡単に作成することもできる。
【発明の効果】
【００１２】  本発明によれば、金網フェンス、ポールフェンス、ポール、もしくは重石になり得るブロックなどに取り付けて使用する表示板として、シンプルな構造はそのままで、しかも表示板表示部表面に取り付け部が露出することもなく、誰でも簡単に取り付け、取り外し可能な表示板となり、また柔軟性を有したプレートであるがために、特にポールなどに取り付ける場合、一般的にはそのポールよりも表示板が大きくなってしまいがちであるが、危険性の少ない表示板となる。【００１３】  さらには、本発明の表示板の特徴となる、表示板表示部に取り付け部が露出することがないことを生かして、既存の自立したポール、例えば幟用のポールなどと組み合せて使用すれば、そのまま意匠性の高い表示板ともなり得、また、カットライン内側に形成する貫通した穴を工夫することにより、取り付け材料に吸盤なども選択可能で、この場合、同じく表示板表示部に取り付け部が露出することのないガラスなどへの表示板として利用できる。
【発明を実施するための最良の形態】
【００１４】  以下、本発明について図面を参照しながら説明するが、本発明がこれらに限定されることではないということは言うまでもない。【００１５】  図１は、金網フェンス、ポールフェンス、ポール、もしくは重石になり得るブロックなどに取り付けて使用されている、既存の一般的な表示板の図で、（Ａ）は、金網フェンスに取り付けるための穴１が、端に複数開けられている図、（Ｂ）は、ポールフェンス、ポールに取り付けるために、直線的に穴２が複数開けられている図、また（Ｃ）は、重石となるブロックなどに完全固定するための、両面テープ３が背面に貼ってある図である。【００１６】  図２は、本発明の請求項１、および請求項２共通の表示板断面図であり、下層部４が、コの字、Ｕの字、Ｖの字などのような一辺を残した形状のカットラインが複数形成され、カットラインの始点、終点には貫通した穴を有し、さらにはそのカットライン内側にも貫通した穴がある柔軟性を有したプレートであり、上層部５は、インクジェット出力により表示部が形成されたシート、同じく上層部６は、この場合、インクジェット出力により形成された表示部を保護するための透明シート、通称、ラミネートとなっていて、このように、上層部に関してはある程度の柔軟性が確保できれば、何層になっても特別構わない。【００１７】  図３は、本発明の請求項１の背面側、すなわち取り付け部となる柔軟性を有したプレート側の図であって、コの字形状７ａ、７ｂのカットラインがそれぞれ一対で複数形成され、かつコの字形状の始点、終点にはそれぞれ８ａ、８ｂの貫通した穴があり、さらにはコの字形状内側にも貫通した穴９を形成することにより、特に金網フェンスなどに取り付けるのに適した本発明の表示板である。【００１８】  図４は、本発明の請求項２の背面側、すなわち取り付け部となる柔軟性を有したプレート側の図であって、Ｕの字形状１０ａ、１０ｂのカットラインがそれぞれ一対で直線的に複数形成され、かつＵの字形状の始点、終点にはそれぞれ１１ａ、１１ｂの貫通した穴があり、さらにはＵの字形状内側にも貫通した穴１２を形成することにより、特にポールなどに取り付けるのに適した本発明の表示板である。【００１９】  図５は、例えば重石になり得るブロックに取り付ける場合の、本発明の背面側、すなわち取り付け部となる柔軟性を有したプレート側の図であって、コの字形状１３のカットラインがそれぞれブロックのサイズに合うよう複数形成され、かつコの字形状の始点、終点にはそれぞれ１４ａ、１４ｂの貫通した穴があり、さらにはコの字形状内側にも細長く貫通した穴１５を形成することにより、この場合、ゴムベルトなどにより取り付けられるように工夫した図である。【００２０】  図６は、本発明によるポールへの取り付け例、全体図であり、ポール１６に、まず柔軟性を有したプレートに形成しているコの字形状カットライン１７を、カットラインに沿ってポール側に引き起こし、かつカットライン内側に設けた穴１８に、結束帯１９などを通して縛ることにより、本発明の表示板は完成する。
【産業上の利用可能性】
【００２１】  以上詳述したように、本発明によれば、特に、金網フェンス、ポールフェンス、ポール、もしくは重石になり得るブロックなどに取り付けて使用する表示板として、取り付け部が表示板表面に露出することのない表示板を提供でき、しかもそれは誰でも簡単に取り付け、取り外し可能な表示板となる。
【図面の簡単な説明】
【００２２】
【図１】既存の一般的な表示板の図である。
【図２】本発明の表示板断面図である。
【図３】本発明の請求項１の柔軟性を有したプレート側からの図である。
【図４】本発明の請求項２の柔軟性を有したプレート側からの図である。
【図５】本発明によるブロックなどに取り付ける際の図である。
【図６】本発明によるポールへの取り付け例、全体図である。
【符号の説明】
【００２３】１      取り付け用穴
２      直線的に配列された取り付け用穴
３      両面テープ
４      柔軟性を有したプレート
５      インクジェット出力シート
６      ラミネート
７ａ    コの字形状のカットライン
７ｂ    コの字形状のカットライン
８ａ    貫通した穴
８ｂ    貫通した穴
９      コの字形状内側の貫通した穴
１０ａ  Ｕの字形状のカットライン
１０ｂ  Ｕの字形状のカットライン
１１ａ  貫通した穴
１１ｂ  貫通した穴
１２    Ｕの字形状内側の貫通した穴
１３    コの字形状のカットライン
１４ａ  貫通した穴
１４ｂ  貫通した穴
１５    コの字形状内側の細長く貫通した穴
１６    ポール
１７    コの字形状のカットライン
１８    カットライン内側に設けた穴
１９    結束帯
【図１】
2010152289.tif 000003
【図２】
2010152289.tif 000004
【図３】
2010152289.tif 000005
【図４】
2010152289.tif 000006
【図５】
2010152289.tif 000007
【図６】
2010152289.tif 000008